(57)【要約】【課題】  物品支承ローラーを回転軸に強固に取り付ける。【解決手段】  保持体１４を囲う囲い体１８の端部１８ａにボルト挿通孔２４に対向する貫通孔２６が形成され、この貫通孔２６、ボルト挿通孔２４を通じてボルト２０がナット収納凹所２３内のナット２１にねじ嵌められるようになされている。このような構成により、ボルト２０の頭２０ａとナット２１とにより囲い体１８の端部１８ａ、１８ｂを相互に接近させることにより囲い体１８が欠環状の保持体１４を回転軸６に押し付けるようになされている。【選択図】  図３
2005067826.tif 000002
【特許請求の範囲】
【請求項１】
回転軸と、回転軸に嵌められた物品搬送ローラーと、回転軸に物品搬送ローラーを固定する締付具とを有し、前記物品搬送ローラーが、回転軸に嵌められたボスを有するローラー本体と、ボスの端に連設されると共に回転軸の軸心に沿うスリットが形成された欠環状の保持体とを有し、欠環状の保持体が締付具により回転軸に押し付けられるようになされているコンベアの物品搬送用回転部材。
【請求項２】
前記締付具が、欠環状の保持体の外周を囲う、両端部が所定間隙をあけて対向する、可撓性を有する囲い体と、囲い体の両端部を相互に接近させるボルト・ナットとを有し、囲い体の一方端部に当てられたナットに、囲い体の他方端部に頭が当てられたボルトをねじ嵌めることにより、ボルトの頭とナットとにより囲い体の端部を相互に接近させることにより囲い体が欠環状の保持体を回転軸に押し付けるようになされている請求項１記載のコンベアの物品搬送用回転部材。
【請求項３】
前記囲い体の一方端部に、ナット収納凹所が回転軸の軸心と直交する側面から形成されると共に、ナット収納凹所に連通し且つ囲い体の他方端部側に向かって開口するボルト挿通孔が形成され、囲い体の他方端部にボルト挿通孔に対向する貫通孔が形成され、この貫通孔、ボルト挿通孔を通じてボルトがナット収納凹所内のナットにねじ嵌められるようになされている請求項２記載のコンベアの物品搬送用回転部材。
【発明の詳細な説明】
【技術分野】
【０００１】
本発明はコンベアの物品搬送用回転部材に関する。
【背景技術】
【０００２】
従来、この種の物品搬送用回転部材として以下の如きものは知られている。
回転軸と、回転軸に嵌められたボスを有する物品搬送ローラーとを有し、前記ボスに、回転軸の軸心と直交するねじ孔が形成され、このねじ孔を通じてねじをねじ嵌め、このねじの先端面を回転軸に形成された平坦面に押し付けて、物品搬送ローラーを回転軸に固定するようにしたものは知られている。
【特許文献１】なし
【発明の開示】
【発明が解決しようとする課題】
【０００３】
前記従来の物品搬送用回転部材には以下の如き欠点があった。
物品搬送ローラーを回転軸に強固に固定出来るようにするため、回転軸に、ねじの先端面が当接する平坦面を形成する必要があったため、その平坦面を形成する加工が面倒であるという欠点があった。また、たとえ平坦面を形成しても、ねじを回転軸に押し付けるだけのものであったため、永年の使用により物品搬送ローラーが回転軸に対してガタ付くことがあるという欠点があった。
【課題を解決するための手段】
【０００４】
本発明は前記欠点を解消するために以下の如き手段を採用した。
（１）請求項１の発明は、回転軸と、回転軸に嵌められた物品搬送ローラーと、回転軸に物品搬送ローラーを固定する締付具とを有し、前記物品搬送ローラーが、回転軸に嵌められたボスを有するローラー本体と、ボスの端に連設されると共に回転軸の軸心に沿うスリットが形成された欠環状の保持体とを有し、欠環状の保持体が締付具により回転軸に押し付けられるようになされているものである。
（２）請求項２の発明は、前記締付具が、欠環状の保持体の外周を囲う、両端部が所定間隙をあけて対向する、可撓性を有する囲い体と、囲い体の両端部を相互に接近させるボルト・ナットとを有し、囲い体の一方端部に当てられたナットに、囲い体の他方端部に頭が当てられたボルトをねじ嵌めることにより、ボルトの頭とナットとにより囲い体の端部を相互に接近させることにより囲い体が欠環状の保持体を回転軸に押し付けるようになされている請求項１記載のものである。
（３）請求項３の発明は、前記囲い体の一方端部に、ナット収納凹所が回転軸の軸心と直交する側面から形成されると共に、ナット収納凹所に連通し且つ囲い体の他方端部側に向かって開口するボルト挿通孔が形成され、囲い体の他方端部にボルト挿通孔に対向する貫通孔が形成され、この貫通孔、ボルト挿通孔を通じてボルトがナット収納凹所内のナットにねじ嵌められるようになされている請求項２記載のものである。
【発明の効果】
【０００５】
本発明は前記した如き構成によって以下の如き効果を奏する。
（１）請求項１の発明によれば、締付具により欠環状の保持体を回転軸に押し付けて、物品搬送ローラーを回転軸に強固に固定出来るので、従来と相違して、回転軸に平坦面を形成する手間を省略することが出来る。また、締付具により欠環状の保持体を回転軸に押し付けるものであるから、従来に比較して（ねじで固定する場合に比較して）、物品支承ローラーを回転軸に強固に取り付けることが出来る。
（２）請求項２の発明によれば、締付具の構造がシンプルであるので、コストの低減を図ることが出来る。
（３）請求項３の発明によれば、ナット収納凹所の大きさをナットの回転を阻止する大きさとすることにより、ボルトをナットにねじ嵌める際において、ナットがボルトととも回りするのを防止することが出来る。また、ボルトをナットにねじ嵌める際において、ナットが落下するのを防止することが出来る。
【発明を実施するための最良の形態】
【０００６】
以下に本発明の実施の形態を説明する。
なお、この説明において、前とは図１紙面上側を、後とは同下側をいい、左とは図１左側を、右とは同図右側をいう。
【０００７】
コンベア１は、所定間隔をあけて対向する左右一対の側板２と、左右の側板２に、前後方向に所定間隔で回転自在に渡された物品搬送用回転部材５と、これら物品搬送用回転部材５を回転駆動する公知の駆動装置（図示略）とを有している。
【０００８】
前記物品搬送用回転部材５は、軸心を左右方向に向けた回転軸６と、回転軸６に嵌められた所要個の合成樹脂製の物品搬送ローラー７と、回転軸６に物品搬送ローラー７を固定する締付具８とを有している。
【０００９】
前記物品搬送ローラー７は、回転軸６に嵌められたボス１１を有するローラー本体１２と、ボス１１の端に連設されると共に回転軸６の軸心に沿うスリット１３が形成された欠環状（この明細書において、「欠環状」とは完全な環状でなく、回転軸６の軸心に沿う、少なくとも１つのスリット１３により一部が切除されて環状でなくなった状態をいう。
）の保持体１４とを有している。スリット１３は、９０度おきに合計４つ形成されている。また、スリット１３の、ボス１１と逆の端（右端）は開放している。
【００１０】
前記締付具８は、欠環状の保持体１４の外周を囲う、両端部１８ａ、１８ｂが所定間隙１７をあけて対向する、可撓性を有する合成樹脂製等の囲い体１８と、囲い体１８の両端部１８ａ、１８ｂを相互に接近させるボルト２０・ナット２１とを有している。
【００１１】
前記囲い体１８の一方端部１８ｂに、ナット収納凹所２３が回転軸６の軸心と直交する側面（左側側面）から形成されると共に、ナット収納凹所２３に連通し且つ他方端部１８ａ側に向かって開口するボルト挿通孔２４が形成されている。なお、ナット収納凹所２３の大きさは、ナット２１がねじ孔の軸心を中心として回転するのを阻止する大きさとなされている。また、ボルト挿通孔２４は外側にも開口している。更に、ボルト挿通孔２４の軸心は前後方向を向いている。
【００１２】
前記囲い体１８の他方端部１８ａにボルト挿通孔２４に対向する貫通孔２６（軸心は前後方向を向いている。）が形成され、この貫通孔２６、ボルト挿通孔２４を通じてボルト２０がナット収納凹所２３内のナット２１（ナット２１の軸心は前後方向を向いている。）にねじ嵌められるようになされている。このような構成により、ボルト２０の頭２０ａとナット２１とにより囲い体１８の端部１８ａ、１８ｂを相互に接近させることにより囲い体１８が欠環状の保持体１４を回転軸６に押し付けるようになされている。
【００１３】
以下に変形例等について説明を加える。
（１）スリット１３は少なくとも１つあればよい。
（２）ナット収納凹所２３をなくして、ナット２１を囲い体１８の端部１８ｂの外側端面（端部１８ａと対向しない端面）に当てるようにするようにしてもよい。
（３）回転軸６には、少なくとも２つの物品搬送ローラー７が取り付けられる。
【図面の簡単な説明】
【００１４】
【図１】本発明の実施の形態を示す中間省略の平面図である。
【図２】図１のＩＩ−ＩＩ線拡大断面図である。
【図３】図２のＩＩＩ−ＩＩＩ線断面図である。
【図４】図３のＩＶ−ＩＶ線断面図である。
【符号の説明】
【００１５】
１  コンベア
５  物品搬送用回転部材
６  回転軸
７  物品搬送ローラー
８  締付具
１１  ボス
１２  ローラー本体
１３  スリット
１４  保持体
１７  所定間隙
１８  囲い体
１８ａ  端部
１８ｂ  端部
２０  ボルト
２１  ナット
２３  ナット収納凹所
２４  ボルト挿通孔
２６  貫通孔
【図１】
2005067826.tif 000003
【図２】
2005067826.tif 000004
【図３】
2005067826.tif 000005
【図４】
2005067826.tif 000006